(57)【特許請求の範囲】
【請求項１】
使用者の手で持たれるハンドル部（１０）と、このハンドル部（１０）の先端に設けられたミラー部（２０）と、このミラー部（２０）のミラー面（２１）に向けて設けられたエア吹き出し孔（２２）と、前記ハンドル部（１０）を通じて前記エア吹き出し孔（２２）へエアを供給するエア供給路（２３）とを備えたデンタルミラーであって、
前記ハンドル部（１０）に、前記使用者の手で操作され、前記エア供給路（２３）を通じて前記エア吹き出し孔（２２）へエアを供給するポンプ部（３０）が設けられ、
前記ポンプ部（３０）は、前記使用者の手で操作され、ポンプ室（３１）の一部を画成する可撓性材料からなる操作部（３２）と、
前記ポンプ室（３１）からエア吹き出し孔（２２）へ至るエア流路（２３）中に設けられていて、前記エア吹き出し孔（２２）からポンプ室（３１）に向かう空気流を遮断する下流側逆止弁（３３）と、
前記ポンプ室（３１）へエアを吸入する吸入路（１２）に設けられていて、前記ポンプ室（３１）から吸入路（１２）に向かう空気流を遮断する上流側逆止弁（３４）とを備え、
前記可撓性材料からなる操作部（３２）が前記使用者の手で押圧されることで前記ポンプ部（３０）が作動することを特徴とするデンタルミラー。
【請求項２】
請求項１において、
前記ハンドル部（１０）は筒状体であり、前記ポンプ部（３０）は前記筒状体の外周面（１１）から該筒状体の軸線方向と直交する方向へ膨出してポンプ室（３１）の一部を画成する可撓性材料からなる操作部（３２）を有し、この操作部（３２）が前記使用者の手で押圧されることでポンプ部（３０）が作動することを特徴とするデンタルミラー。
【請求項３】
請求項１または２において、
前記下流側逆止弁（３３）と上流側逆止弁（３４）のうち少なくとも一方の逆止弁は、前記可撓性材料からなる操作部（３２）と一体に形成されていることを特徴とするデンタルミラー。
【請求項４】
請求項１〜３のうちいずれか一項において、
前記ポンプ部（３０）は、前記ポンプ室（３１）内に設けられていて、前記操作部（３２）の過度の変位を規制し、かつポンプ室（３１）から前記エア供給路（２３）へ向かうエアの流れを許す通気孔（１４ｈ）を有している規制部（１４）を備えていることを特徴とするデンタルミラー。
【発明の詳細な説明】
【技術分野】
【０００１】
本発明は、歯科等において口腔内を見るのに用いられるデンタルミラーに関するものである。
【背景技術】
【０００２】
従来、例えば特許文献１に見られるように、使用者の手で持たれるハンドル部（Ｕ）と、このハンドル部（Ｕ）の先端に設けられたミラー部（Ａ）と、このミラー部（Ａ）のミラー面（Ａ’）に向けて設けられたエア吹き出し孔（Ｄ）と、前記ハンドル部（Ｕ）を通じて前記エア吹き出し孔（Ｄ）へエアを供給するエア供給路（Ｃ）とを備えたデンタルミラーが知られている。
このデンタルミラーによれば、エア吹き出し孔（Ｄ）からミラー面（Ａ’）に向けてエアを吹き付け、ミラー面（Ａ’）のくもり等（くもりや液滴の付着）を除去してミラー面（Ａ’）を見やすい状態にすることができる。
【０００３】
また、従来、例えば特許文献２に見られるように、スリーウェイシリンジ（３）の先端部分にデンタルミラー（１）を設け、デンタルミラー（１）の柄部（２）を中空に構成し、スリーウェイシリンジ（３）からの空気や水をデンタルミラー（１）供給してデンタルミラー（１）のくもり等を除去できるようにしたデンタルミラーも知られている。
【０００４】
また、例えば特許文献３に見られるように、スリーウェイシリンジ（８）のチップ（７）の末端またはエアーコンプレッサーの送気管の末端（１１）にミラー（２）付き圧搾空気噴射筒（１）を取り付け、取り付けたミラー（２）の表面に圧搾空気が吹き付けるようにミラー（２）付き圧搾空気噴射筒（１）のミラー鏡面側の断端に圧搾空気の噴出口（３）を設けたデンタルミラーも知られている。
【先行技術文献】
【特許文献】
【０００５】
【特許文献１】特開平７−１３６１１０号公報
【特許文献２】実開昭６２−１８１１９号公報
【特許文献３】特開２０００−１０２５５１号公報
【発明の概要】
【発明が解決しようとする課題】
【０００６】
上述した従来のデンタルミラーは、いずれもそれ自身ではエアの供給手段を有していないため、使用に際しては、デンタルミラーにスリーウェイシリンジあるいは送気管を接続する必要がある。
そのため、デンタルミラー使用時に該デンタルミラーのための上記スリーウェイシリンジ用配管あるいは送気管が邪魔になって、使い勝手が悪くなるおそれがある。
本発明が解決しようとする課題は、ミラー面のくもり等を除去することができ、しかも使い勝手も悪くならないデンタルミラーを提供することである。
【課題を解決するための手段】
【０００７】
上記課題を解決するために本発明のデンタルミラーは、
使用者の手で持たれるハンドル部と、このハンドル部の先端に設けられたミラー部と、このミラー部のミラー面に向けて設けられたエア吹き出し孔と、前記ハンドル部を通じて前記エア吹き出し孔へエアを供給するエア供給路とを備えたデンタルミラーであって、
前記ハンドル部に、前記使用者の手で操作され、前記エア供給路を通じて前記エア吹き出し孔へエアを供給するポンプ部が設けられ、
前記ポンプ部は、前記使用者の手で操作され、ポンプ室の一部を画成する可撓性材料からなる操作部と、
前記ポンプ室からエア吹き出し孔へ至るエア流路中に設けられていて、前記エア吹き出し孔からポンプ室に向かう空気流を遮断する下流側逆止弁と、
前記ポンプ室へエアを吸入する吸入路に設けられていて、前記ポンプ室から吸入路に向かう空気流を遮断する上流側逆止弁とを備え、
前記可撓性材料からなる操作部が前記使用者の手で押圧されることで前記ポンプ部が作動することを特徴とする。
このデンタルミラーによれば、デンタルミラーを使用している最中にミラー面にくもり等が生じたときには、ハンドル部に設けられているポンプ部を使用者が手で操作することにより、ポンプ部によってエアがエア供給路を通じてエア吹き出し孔へ供給され、その吹き出しエアによってミラー面のくもり等を除去することが可能である。
そして、使用者の手で操作されるポンプ部はハンドル部に設けられていて、そのポンプ部によってエアがエア供給路を通じてエア吹き出し孔へ供給されるから、本発明のデンタルミラーによれば、従来技術とは異なり、デンタルミラーにスリーウェイシリンジや送気管を接続する必要がない。したがって、デンタルミラー使用時に前述したスリーウェイシリンジ用配管あるいは送気管が邪魔になって使い勝手が悪くなるという事態も生じない。
以上のように、本発明のデンタルミラーによれば、ミラー面のくもり等を除去することができ、しかも使い勝手も悪くならないという効果が得られる。
さらに、
前記ポンプ部は、前記使用者の手で操作され、ポンプ室の一部を画成する可撓性材料からなる操作部と、
前記ポンプ室からエア吹き出し孔へ至るエア流路中に設けられていて、前記エア吹き出し孔からポンプ室に向かう空気流を遮断する下流側逆止弁と、
前記ポンプ室へエアを吸入する吸入路に設けられていて、前記ポンプ室から吸入路に向かう空気流を遮断する上流側逆止弁とを備え、
前記可撓性材料からなる操作部が前記使用者の手で押圧されることで前記ポンプ部が作動するので、ポンプ部を手動ポンプとして構成できるとともに、ミラー部側からエア吹き出し孔およびエア流路を通じてポンプ室に向かうことのある液滴等の流れを下流側逆止弁によって阻止することができる。
【０００８】
このデンタルミラーにおいては、
前記ハンドル部は筒状体であり、前記ポンプ部は前記筒状体の外周面から該筒状体の軸線方向と直交する方向へ膨出してポンプ室の一部を画成する可撓性材料からなる操作部を有し、この操作部が前記使用者の手で押圧されることでポンプ部が作動する構成とすることができる。
このように構成すると、ポンプ部を手動ポンプとして構成できるとともに、ポンプの作動を、筒状体の外周面から該筒状体の軸線方向と直交する方向へ膨出してポンプ室の一部を画成する可撓性材料からなる操作部の押圧操作で得ることができるから、ポンプの操作を容易に行うことができる。
【０００９】
このデンタルミラーにおいては、
前記下流側逆止弁と上流側逆止弁のうち少なくとも一方の逆止弁は、前記可撓性材料からなる操作部と一体に形成されている構成とすることができる。
このように構成すると、少なくとも前記一方の逆止弁については操作部とともに組み付けることが可能となり、組立性が向上する。
【００１０】
このデンタルミラーにおいては、
前記ポンプ部は、前記ポンプ室内に設けられていて、前記操作部の過度の変位を規制し、かつポンプ室から前記エア供給路へ向かうエアの流れを許す通気孔を有している規制部を備えている構成とすることができる。
このように構成すると、規制部によってポンプ室からエア供給路へ向かうエアの流れを確保することができるとともに、ポンプ室の一部を画成する可撓性材料からなる操作部の過度の変位を規制してポンプ機能を確保することができる。
【図面の簡単な説明】
【００１１】
【図１】本発明に係るデンタルミラーの一実施の形態を示す図で、（ａ）は平面図、（ｂ）は正面図、（ｃ）は図（ａ）におけるｃ−ｃ断面図、（ｄ）は図（ｃ）におけるｄ−ｄ断面図。
【図２】（ａ）（ｂ）は作動説明図。
【図３】他の実施の形態を示す図で、（ａ）は正断面図、（ｂ）は図（ａ）におけるｂ−ｂ断面図、（ｃ）は作動説明図。
【発明を実施するための形態】
【００１２】
以下、本発明に係るデンタルミラーの実施の形態について図面を参照して説明する。なお、各図において、同一部分ないし相当する部分には、同一の符号を付してある。
【００１３】
図１に示すデンタルミラー１は、使用者の手（図示せず）で持たれるハンドル部１０と、このハンドル部１０の先端に設けられたミラー部２０と、このミラー部２０のミラー面２１に向けて設けられたエア吹き出し孔２２と、前記ハンドル部１０を通じて前記エア吹き出し孔２２へエアを供給するエア供給路２３とを備えている。
ハンドル部１０には、使用者の手で操作され、エア供給路２３を通じてエア吹き出し孔２２へエアＡを供給するポンプ部３０が設けられている。
【００１４】
このデンタルミラー１によれば、デンタルミラー１を使用している最中にミラー面２１にくもり等が生じたときには、ハンドル部１０に設けられているポンプ部３０を使用者が手で操作することにより、ポンプ部３０によってエアＡがエア供給路２３を通じてエア吹き出し孔２２へ供給され、その吹き出しエアＡ１によってミラー面２１のくもり等（くもりや液滴等の付着）を除去することが可能である。
【００１５】
そして、使用者の手で操作されるポンプ部３０はハンドル部１０に設けられていて、そのポンプ部３０によってエアＡがエア供給路２３を通じてエア吹き出し孔２２へ供給されるから、このデンタルミラー１によれば、従来技術とは異なり、デンタルミラー１にスリーウェイシリンジや送気管を接続する必要がない。したがって、デンタルミラー使用時に前述したスリーウェイシリンジ用配管あるいは送気管が邪魔になって使い勝手が悪くなるという事態も生じない。
以上のように、この実施の形態のデンタルミラー１によれば、ミラー面２１のくもり等を除去することができ、しかも使い勝手も悪くならないという効果が得られる。
【００１６】
ハンドル部１０は筒状体であり、ポンプ部３０は筒状体（１０）の外周面１１から筒状体（１０）の軸線方向（筒状体長手方向）と直交する方向へ膨出してポンプ室３１の一部を画成する可撓性材料（例えばシリコンゴム）からなる操作部３２を有し、この操作部３２が使用者の手で押圧されることでポンプ部３０が作動する（図２参照）。
【００１７】
このように構成すると、ポンプ部３０を手動ポンプとして構成できるとともに、ポンプの作動を、筒状体（１０）の外周面１１から該筒状体（１０）の軸線方向と直交する方向へ膨出してポンプ室３１の一部を画成する可撓性材料からなる操作部３２の押圧操作で得ることができるから、ポンプの操作を容易に行うことができる。
【００１８】
ポンプ部３０は、前記操作部３２と、
ポンプ室３１からエア吹き出し孔２２へ至るエア流路（２３）中に設けられていて、エア吹き出し孔２２からポンプ室３１に向かう空気流Ａ２（図２（ｂ）参照）を遮断する下流側逆止弁３３と、
ポンプ室３１へエアＡ３を吸入する吸入路１２に設けられていて、ポンプ室３１から吸入路１２に向かう空気流Ａ４（図２（ａ）参照）を遮断する上流側逆止弁３４とを備えている。
【００１９】
このように構成すると、ポンプ部３０を良好に作動する手動ポンプとして構成することができるとともに、ミラー部２０側からエア吹き出し孔２２およびエア流路（２３）を通じてポンプ室３１に向かうことのある液滴等の流れを下流側逆止弁３３によって阻止することができる。
【００２０】
この実施の形態では下流側逆止弁３３、上流側逆止弁３４をいずれもリード弁３３ｒ、３４ｒで構成しているが、他の弁（例えばボール弁）で構成することもできる。
３３ｈは下流側逆止弁３３で開閉される弁口であり、ポンプ室３１とエア供給路２３とを区画する仕切壁３３ｄに設けられている。
３４ｈは上流側逆止弁３４で開閉される弁口であり、ポンプ室３１と吸入路１２とを区画する仕切壁３４ｄに設けられている。
【００２１】
このデンタルミラー１の作動について図２を参照して説明する。
このデンタルミラー１は通常のデンタルミラー（スリーウェイシリンジや送気管が接続されていないデンタルミラー）と同様に使用することができる。
【００２２】
デンタルミラー１を使用している最中にミラー面２１にくもり等が生じたときには、図２（ａ）に矢印Ｐで示すように、ポンプ部３０の操作部３２を使用者が手（指）で押圧する。
すると、上流側逆止弁３４は閉じたままなのでポンプ室３１の圧が高まり、下流側逆止弁３３が開いてエアＡがエア供給路２３を通じてエア吹き出し孔２２へ供給され、その吹き出しエアＡ１によってミラー面２１のくもり等が除去される。
【００２３】
その後、使用者が操作部３２への押圧を解除すると、操作部３２は可撓性材質に基づく自身の復元力によって図２（ｂ）に示すように原位置に復帰し、その過程で生じるポンプ室３１の負圧により新規エアＡ３が上流側逆止弁３４を開いて吸入路１２からポンプ室３１に吸入される。この際、下流側逆止弁３３は閉じているので、液滴等がミラー部２０側からエア吹き出し孔２２およびエア流路を通じてポンプ室３１に向かおうとしてもその液滴等の流れは下流側逆止弁３３によって阻止される。
なお、吸入路１２には、エア導入口１３が設けられている。この実施の形態では、エア導入口１３は、ハンドル部（筒状体）１０の後端に設けた開口（１３）で構成されている。
【００２４】
下流側逆止弁３３と上流側逆止弁３４のうち少なくとも一方の逆止弁はリード弁で構成し、可撓性材料からなる操作部３２と一体に形成されている構成とすることができる。
そのように構成すると、下流側逆止弁３３と上流側逆止弁３４のうち少なくとも一方の逆止弁は、可撓性材料からなる操作部３２と一体に形成されているので、少なくとも一方の逆止弁については操作部３２とともに組み付けることが可能となり、組立性が向上する。
【００２５】
この実施の形態では、下流側逆止弁３３、上流側逆止弁３４をいずれも、可撓性材料からなる操作部３２と一体に形成されているリード弁で構成しているので、両逆止弁３３，３４を操作部３２とともに組み付けることが可能となり、組立性がさらに向上する。
【００２６】
操作部３２はハンドル部１０に対し適宜の手段で固定することができる。例えば接着によって固定することもできるが、この実施の形態では、図１に示すように、操作部３２に、ハンドル部１０に対する係合部（結合部）として、下縁に直線状の線状突起３２ｒ、３２ｒを設け、前部には半円弧状の線状突起３２ｆを設け、後部にはリード弁３４ｒと一体の突片３２ｐを畔円弧状に設け、これら突起および突片を、それらに適合するようにハンドル部１０に設けられた係合凹部に係合（結合）させることによって、ハンドル部１０に対して着脱可能に取り付けてある。
３３ｓはリード弁３３ｒを挿通するためのスリットである。
【００２７】
図３は他の実施の形態を示すものである。
図３のデンタルミラー１は、ポンプ部３０が、使用者の手で操作され、ポンプ室３１の一部を画成する可撓性材料からなる操作部３２と、ポンプ室３１内に設けられていて、操作部３２の過度の変位を規制し、かつポンプ室３１からエア供給路２３へ向かうエアＡの流れを許す通気孔１４ｈを有している規制部１４とを備えていることを特徴としている
【００２８】
このように構成すると、ポンプ部３０を手動ポンプとして構成できるとともに、規制部１４によってポンプ室３１からエア供給路２３へ向かうエアＡの流れを確保することができるとともに、ポンプ室３１の一部を画成する可撓性材料からなる操作部３２の過度の変位を規制してポンプ機能を確保することができる。
【００２９】
規制部１４は、ハンドル部１０の一部を構成する筒状体であり、図３（ａ）（ｂ）に示すように、長手方向に亘りかつ全周に亘って多数の通気孔１４ｈが設けられている。
操作部３２はその小径の両端３２ｂがハンドル部１０（この場合規制部１４）に固定され、中央部３２ｃが軸線回りに３６０度膨出して大径となっている膨張体で構成されている。したがって、使用者は軸線回りに３６０度どの位置からでも操作部３２を押圧操作することが可能である。
【００３０】
例えば図３（ｃ）に矢印Ｐで示すように、ポンプ部３０の操作部３２を使用者が手（指）で押圧すると、操作部３２と規制部１４との間のエアが通気孔１４ｈを通って矢印Ａに示すようにエア供給路２３を通じてエア吹き出し孔２２へ供給されるとともに、操作部３２が規制部１４に当接することによって、操作部３２の過度の変位が規制される。
なお、図示の通気孔１４ｈは丸穴状のものであるが、スリット状のものとすることもできる。
【００３１】
この実施の形態の逆止弁３３（３４）は、軸線方向から見て中央に弁口３３ｈ（３４ｈ）を有するリング状の弁座体３３ｂ（３４ｂ）にリード弁（弁体）３３ｒ（３４ｒ）を接着等で固着した組立体として構成され、ネジ結合３３ｓ、３３ｓ（３４ｓ、３４ｓ）によって規制部１４とハンドル部１０とに結合されている。
【００３２】
操作部３２はハンドル部１０に対し適宜の手段で固定することができる。例えば接着によって固定することもできるが、この実施の形態では操作部３２の前後に、ハンドル部１０に対する係合部（結合部）として、リング状突起３２eを設け、これらリング状突起３２eを、それらに適合するようにハンドル部１０に設けられた係合凹部に係合（結合）させることによって、ハンドル部１０に対して着脱可能に取り付けてある。
【００３３】
以上、本発明の実施の形態について説明したが、本発明は上記の実施の形態に限定されるものではなく、本発明の要旨の範囲内において適宜変形実施可能である。
ハンドル部１０、ミラー部２０、操作部３２はそれぞれ適宜の公知の材料で構成できる。
例えば、ハンドル部１０，規制部１４，ミラー部２０は、いずれもステンレス、合成樹脂等で構成することができる。操作部３２、リード弁３３ｒ、３４ｒはシリコンゴム以外のゴム材料、合成樹脂で構成することもできる。
各部の形状、寸法も適宜設定できる。例えば、図１において、ハンドル部１０の長さＬ１は約１２５ｍｍ、ミラー部２０の長さＬ２は約４０ｍｍ、ハンドル部１０の外径Ｄは約１０ｍｍとする。
図１〜図３に示したミラー部２０はハンドル部１０に対してネジ結合２４にて着脱可能に構成したが、ハンドル部１０と一体に構成しても良い。
【符号の説明】
【００３４】
１０：    ハンドル部
１１：    外周面
１２：    吸入路
１４：    規制部
１４ｈ：  通気孔
２０：    ミラー部
２１：    ミラー面
２２：    エア吹き出し孔
２３：    エア供給路
３０：    ポンプ部
３１：    ポンプ室
３２：    操作部
３３：    下流側逆止弁
３４：    上流側逆止弁
【要約】
【課題】ミラー面のくもり等を除去することができ、しかも使い勝手も悪くならないデンタルミラーを提供する。
【解決手段】使用者の手で持たれるハンドル部（１０）と、ハンドル部（１０）の先端に設けられたミラー部（２０）と、ミラー部（２０）のミラー面（２１）に向けて設けられたエア吹き出し孔（２２）と、ハンドル部（１０）を通じてエア吹き出し孔（２２）へエアを供給するエア供給路（２３）とを備え、ハンドル部（１０）に、使用者の手で操作され、エア供給路（２３）を通じてエア吹き出し孔（２２）へエアを供給するポンプ部（３０）が設けられている。
【選択図】図１【図１】
0005798271.tif 000002
【図２】
0005798271.tif 000003
【図３】
0005798271.tif 000004